(57)【要約】      （修正有）【課題】縦方向に伸長可能な嵌め殺し部の竪骨の支持構造を提供する。【解決手段】上枠４、下枠３、及び左右の竪枠５ａ，５ｂを四周枠組みして構成される窓枠２６に取付けられる、片引きサッシ又は引き分けサッシにおける嵌め殺し部２の竪骨２３の支持構造であって、  該嵌め殺し部２は、上枠アタッチメント２１、下枠アタッチメント２０、竪骨２３、及び竪骨に対向する側の竪枠を形成する竪枠アタッチメント２２を四周枠組みして形成されるＦＩＸユニットを備え、前記上枠アタッチメント２１が上枠４に固定されると共に、前記下枠アタッチメント２０が下枠３に固定されることにより、前記ＦＩＸユニットの上部及び下部が窓枠２６に固定され、前記竪骨２３の上下両端は上枠４と下枠３とに固定されない構成とする。【選択図】図７
2006233431.tif 000002
【特許請求の範囲】
【請求項１】
上枠、下枠、及び左右の竪枠を四周枠組みして構成される窓枠に取付けられる、片引きサッシ又は引き分けサッシにおける嵌め殺し部の竪骨の支持構造であって、
該嵌め殺し部は、上枠アタッチメント、下枠アタッチメント、竪骨、及び竪骨に対向する側の竪枠を形成する竪枠アタッチメントを四周枠組みして形成されるＦＩＸユニットを備え、  
前記上枠アタッチメントが上枠に固定されると共に、前記下枠アタッチメントが下枠に固定されることにより、前記ＦＩＸユニットの上部及び下部が窓枠に固定され、
前記竪骨の上下両端は上枠と下枠とに固定されない構成とされた、
ことを特徴とする嵌め殺し部の竪骨の支持構造。
【請求項２】
前記上枠アタッチメントと上枠との固定は、上枠に取付けられた上部固定ブロックに上枠アタッチメントが嵌合することによりなされ、
前記下枠アタッチメントと下枠との固定は、下枠アタッチメントに取付けられた下部固定ブロックを下枠にビス止めすることによりなされる構成とされた、請求項１記載の嵌め殺し部の竪骨の支持構造。
【請求項３】
前記竪骨の上端部と上枠との間に弾性部材が挟み込まれた構成とされた、請求項１又は２記載の嵌め殺し部の竪骨の支持構造。
【発明の詳細な説明】
【技術分野】
【０００１】
本発明は、嵌め殺し部の竪骨の支持構造に関し、詳しくは上枠、下枠、及び左右の竪枠を四周枠組みして構成される窓枠に取付けられる、片引きサッシ又は引き分けサッシにおける嵌め殺し部の竪骨の支持構造に関するものである。
【背景技術】
【０００２】
従来より、片引きサッシ等において、嵌め殺しガラスをサッシ中央で保持する竪骨は、上枠と下枠の両方にビスにより固定されていた（例えば、特許文献１参照）。
【特許文献１】特開平１１−１４１２３４号公報
【発明の開示】
【発明が解決しようとする課題】
【０００３】
しかしながら、上枠と下枠の両方にビスにより固定されているので、熱膨張によって縦方向に伸長することができないため、竪骨が横方向に歪む等により、クレセント受調整後でも、クレセントが掛からない、また、片引き障子と竪骨の双方に取付けた煙返しが接触し異音が発生する等の問題が発生するおそれが生じていた
【０００４】
そこで、本発明の主たる課題は、縦方向に伸長可能な嵌め殺し部の竪骨の支持構造を提供することにある。
【課題を解決するための手段】
【０００５】
上記課題を解決した本発明は、次のとおりである。
＜請求項１記載の発明＞
請求項１記載の発明は、上枠、下枠、及び左右の竪枠を四周枠組みして構成される窓枠に取付けられる、片引きサッシ又は引き分けサッシにおける嵌め殺し部の竪骨の支持構造であって、該嵌め殺し部は、上枠アタッチメント、下枠アタッチメント、竪骨、及び竪骨に対向する側の竪枠を形成する竪枠アタッチメントを四周枠組みして形成されるＦＩＸユニットを備え、前記上枠アタッチメントが上枠に固定されると共に、前記下枠アタッチメントが下枠に固定されることにより、前記ＦＩＸユニットの上部及び下部が窓枠に固定され、前記竪骨の上下両端は上枠と下枠とに固定されない構成とされた、ことを特徴とする嵌め殺し部の竪骨の支持構造である。
【０００６】
（作用効果）
上枠アタッチメントが上枠に固定されると共に、下枠アタッチメントが下枠に固定されることにより、ＦＩＸユニットの上部及び下部が窓枠に固定され、竪骨の上下両端は上枠と下枠とに固定されない構成とすることによって、ＦＩＸユニットを窓枠に確実に固定すると共に、竪骨を縦方向に伸長可能とすることができ、竪骨の熱膨張の際に、横方向等に歪むなどの不具合が生じることを防止することができる。そのため、クレセント受調整後にクレセントが掛からない、また、片引き障子又は引き分け障子と、竪骨の双方に取付けた煙返しが接触し異音が発生する等の問題が生じることを防止することができる。
【０００７】
＜請求項２記載の発明＞
請求項２記載の発明は、前記上枠アタッチメントと上枠との固定は、上枠に取付けられた上部固定ブロックに上枠アタッチメントが嵌合することによりなされ、前記下枠アタッチメントと下枠との固定は、下枠アタッチメントに取付けられた下部固定ブロックを下枠にビス止めすることによりなされる構成とされた、請求項１記載の嵌め殺し部の竪骨の支持構造である。
【０００８】
（作用効果）
上枠アタッチメントと上枠との固定は、上枠に取付けられた上部固定ブロックに上枠アタッチメントが嵌合することによりなされ、下枠アタッチメントと下枠との固定は、下枠アタッチメントに取付けられた下部固定ブロックを下枠にビス止めすることによりなされる構成とすることにより、窓枠へのＦＩＸユニットの取付け、及び嵌め殺し部の組立作業が容易化される。
【０００９】
＜請求項３記載の発明＞
請求項３記載の発明は、前記竪骨の上端部と上枠との間に弾性部材が挟み込まれた構成とされた、請求項１又は２記載の嵌め殺し部の竪骨の支持構造である。
【００１０】
（作用効果）
竪骨の上端部と上枠との間に弾性部材が挟み込まれた構成とすることにより、竪骨の縦方向の伸縮を吸収することができる。
【発明の効果】
【００１１】
本発明によれば、縦方向に伸長可能であるため、竪骨が横方向に歪まない等の利点がもたらされる。
【発明を実施するための最良の形態】
【００１２】
以下、本発明に係る嵌め殺し部の竪骨の支持構造について、片引きサッシの実施の形態に基づき説明する。
図１は片引きサッシの横断面図であり、図２は同縦断面図で、図３はI−I部分の縦断面図である。この片引きサッシの窓枠２６は、上枠４、下枠３、及び左右の竪枠５ａ，５ｂを四周枠組みして構成されており、この窓枠２６内に片引き障子１と嵌め殺し部２を装着して片引きサッシが形成される。片引き障子１は、上框９ａ、下框８ａ、戸先框７ａ、及び召し合せ框６ａを四周框組みした内部にガラスパネル２７を嵌め込んで形成してある。嵌め殺し部２は、上枠アタッチメント２１、下枠アタッチメント２０、右竪枠アタッチメント２２、及び竪骨２３を四周枠組みして枠体（ＦＩＸユニット）を形成し、この枠体（ＦＩＸユニット）の内部にガラスパネル２７を嵌め込み、その後、ガラス上部押縁５０、ガラス左右押縁５１Ｌ，５１Ｒをそれぞれ上枠アタッチメント２１、左竪枠アタッチメント２２、及び竪骨２３に係合させて形成される。そして、片引き障子１と嵌め殺し部２は、召し合せ框６ａと竪骨２３との間に設けたクレセント（図示省略）により施錠されるものである。なお、本実施の形態では、嵌め殺し部２が室内側から見て右にあるため、右側に右竪枠アタッチメント２２が形成されているが、嵌め殺し部２が室内側から見て左にあれば、竪骨２３に対向する側の竪枠には左竪枠アタッチメントが形成されることは言うまでもない。
【００１３】
上枠４は、図２に示すように、下面２８と、室内側垂下片２９と、その室外側に位置する中間垂下片３０とで、上枠アタッチメント２１の上部を嵌合させるための嵌合溝３１を形成してあり、中間垂下片３０の室外側に間隔をおいて配置した室外側垂下片３２を、外障子１の上端係合部としている。室内側垂下片２９の下部室外側面には、左右方向に上枠タイト材ホルダー３３ｂを設けてあり、そこに室内側上枠タイト材３４ｂを取付けてある。この室内側上枠タイト材３４ｂは、上枠アタッチメント２１の室内側面に当接する。中間垂下片３０の下部室外側面には、左右方向に上枠タイト材ホルダー３３ａを設けてあり、そこに室外側上枠タイト材３４ａを取付けてある。この室外側上枠タイト材３４ａは、外障子上框９ａの室内側面に当接するものである。
【００１４】
嵌合溝３１には、図４乃至６で示すように、上部固定ブロック４２が、窓枠２６の長手方向に上枠アタッチメント２１の位置する範囲で数箇所間隔を置いて嵌め込まれて取付けられている。なお、図４は嵌合溝部分の拡大縦断面図であり、図５は上部固定ブロックの配置を説明するための上枠を下から見上げた状態の図であり、図６はそのII−II断面図である。
この上部固定ブロック４２は、断面略Ｍ状であり、室外側係合部４２ａが中間垂下片３０のクランク部分に係合し、室内係合部４２ｂが室内側垂下片２９に形成された上枠タイト材ホルダー３３ｂの上部に係合することによって嵌合溝３１に嵌め込まれ固定されている。上部固定ブロック４２には、室外側係合爪４２ｃと室内側係合爪４２ｄとが形成されており、これらと上枠アタッチメント２１の上部に形成された室外側係合片２１ａと室内側係合片２１ｂとが係合して、上枠アタッチメント２１が上枠４に固定されるようになっている。
【００１５】
竪骨２３の室外側中空部２３ａの上端には、図８及び図９に示すように、封止ブロック４４が嵌め込まれている。なお、図８は竪骨上端部分の拡大平面図であり、図９はその縦断面図であり、図１０は封止ブロックの正面図であり、図１１はその側面図であり、図１２はその平面図である。
封止ブロック４４は、図１０乃至図１２に示すように、四角筒状の本体部４４ａと、この本体部４４ａの側面に取付けられたヒレ部４４ｂと、本体部４４ａの上端部を覆う上面部４４ｃと、を備えている。なお、４４ｄは、上枠アタッチメント２１と竪骨２３を一体化させるためのビス５８を貫通させるためのビス孔である。封止ブロック４４は、竪骨２３の室外側中空部２３ａに本体部４４ａが嵌め込まれて竪骨２３に固定される。ヒレ部４４ｂを外障子１の召し合せ框６ａに当接させるために室外側中空部２３ａの側面が一部切欠かれており、ヒレ部４４ｂにより外障子１の召し合せ框６ａとの隙間において水密・気密性が確保されている。
【００１６】
封止ブロック４４の上面部４４ｃと上枠４の下面２８との間には、スポンジ４５等の弾性部材が挟み込まれている。このスポンジ４５は、竪骨２３の上枠４への取付けの際に挟み込まれ、竪骨２３の縦方向への伸縮を吸収するものである。後述するように、竪骨２３の上下両端において、上枠４と下枠３とビス等により固定されていないこと、及びこの伸縮自在なスポンジ４５により、竪骨２３の熱膨張した場合に、この竪骨２３は縦方向に伸長可能であり、竪骨２３が横方向等に歪むなどの不具合が生じることを防止することができる。そのため、クレセント受調整後にクレセントが掛からない、また、片引き障子と竪骨の双方に取付けた煙返しが接触し異音が発生する等の問題が生じることを防止することができる。
【００１７】
下枠３は、図２に示すように、室外側の外側基板１２と、外側基板１２よりも室内側上方に位置する内側基板１３とを階段状に設けてあり、外側基板１２には外障子走行レール３５を設け、内側基板１３の室内外方向略中央部に起立片１４を設けてある。室内側端部に位置する起立壁３６の上端部室外側面には、サッシ枠長手方向（左右方向）に下枠タイト材ホルダー１８ｂを形成してあり、そのタイト材ホルダー１８ｂの、図２に示す下枠アタッチメント２０の室内側面と対向する範囲に、室内側下枠タイト材１７ｂを取付けている。この室内側下枠タイト材１７ｂは、下枠アタッチメント２０の室内側面に当接する。内側基板１３の室外側端面にも、左右方向に下枠タイト材ホルダー１８ａを設けてあり、そのタイト材ホルダー１８ａの、図２に示す閉鎖状態の外障子１の室内側面と対向する範囲に、室外側下枠タイト材１７ａを取付けている。この室外側下枠タイト材１７ａは、外障子下框８ａの室内側面に当接するものである。
【００１８】
下枠アタッチメント２０の下部には、図２及び図１３に示すように、室内外側にそれぞれ室外側垂下片２０ａ、室内側垂下片２０ｂが設けられており、下枠アタッチメント２０の底面２０ｃとこれら垂下片２０ａ，２０ｂによって嵌合部が形成され、この嵌合部には下部固定ブロック４３が嵌合されている。なお、図１３は下枠アタッチメントの下部に下部固定ブロックが嵌め込まれた状態の拡大縦断面図であり、図１４は下部固定ブロックの側面図であり、図１５はその正面図であり、図１６はその背面図であり、図１７はその上面図であり、図１８はその底面図であり、図１９はそのIII−III断面図であり、図２０はそのIV−IV断面図である。
下部固定ブロック４３は、内側基板１３の室内側から起立する起立部４３ａと、この起立部４３ａの上部に位置して、起立片１４を跨ぐように構成された上面部４３ｂと、この上面部４３ｂから下方に折曲する折曲部４３ｃと、を備えており、これら起立部４３ａ、上面部４３ｂ及び折曲部４３ｃは起立片１４を挟み込むように構成され、それぞれ起立片１４、下枠アタッチメント２０の底面２０ｃ及び下枠アタッチメント２０の室外側垂下片２０ａに当接するようになっている。図１７、図１８及び図２０に示すように、上面部４３ｂにはビス孔４３ｄが形成されており、ビス５３により下枠アタッチメント２０の底面２０ｃと下部固定ブロック４３とが螺着され固定されるようになっている。また、起立部４３ａにはビス孔４３ｅが形成されており、ビス５４により起立片１４と下部固定ブロック４３とが螺着され固定されるようになっている。なお、図１５に示すように、折曲部４３ｃの中央部分が切欠かれてビス５３，５４の螺着作業を容易化するようになっている。
【００１９】
この下部固定ブロック４３は、先にビス５３により下枠アタッチメント２０に取付けられた状態で、下部固定ブロック４３を下枠３の起立片１４を挟み込み、ビス５４によって側面から螺着させ、これにより下枠アタッチメント２０を下枠３に固定するものである。
【００２０】
左竪枠５ａと竪骨２３との間の上枠４と下枠３には、図３に示すように、目板材５５，５６が取付けられており、隙間を覆っている。また、右竪枠アタッチメント２２には、図１に示すように、取付け片２２ａが設けられ、この取付け片２２ａと右竪枠５ｂの側板とをビス５７によって螺着し、これによって右竪枠アタッチメント２２と右竪枠５ｂとを固定している。  
【００２１】
図７に基づき、［１］〜［９］の手順で行なわれる窓枠へのＦＩＸユニットの取付け、及び嵌め殺し部の組立方法について、以下に説明する。
［１］上枠アタッチメント２１、下枠アタッチメント２０、右竪枠アタッチメント２２、及び竪骨２３を四周枠組みし、ビス５８，５８、…によって固定して、嵌め殺し部２の枠体（ＦＩＸユニット）を形成する。
［２］このＦＩＸユニットの上枠アタッチメント２１を、上枠４に数箇所嵌め込まれた上部固定ブロック４２に嵌合し、上枠４に固定する。この際には、封止ブロック４４の上面部４４ｃと上枠４の下面２８との間にスポンジ４５を挟み込んでおく。
［３］ビス５９ａにより右竪枠５ｂと上枠４とを羅着して固定する。
［４］ビス５９ｂにより右竪枠５ｂと下枠３とを羅着して固定する。
［５］左竪枠５ａと竪骨２３との間の上枠４と下枠３に、目板材５５，５６を嵌合させ取付ける。
［６］ビス５９ｃ，５９ｄにより左竪枠５ａを上枠４と下枠３に羅着して固定する。
［７］ＦＩＸユニットの右竪枠アタッチメント２２と右竪枠５ｂとをビス５７によって、取付け片２２ａを介して羅着して固定する。
［８］下枠アタッチメント２０に取付けられた下部固定ブロック４３が、下枠３の起立片１４に挟み込まれた状態で、下部固定ブロック４３と起立片１４をビス５４，５４，…によって見込み方向から螺着させ、これにより下枠アタッチメント２０を下枠３に固定する。
［９］ＦＩＸユニットにガラスパネル２７を嵌め込み、ガラス上部押縁５０、ガラス左右押縁５１Ｌ，５１Ｒをそれぞれ上枠アタッチメント２１、右竪枠アタッチメント２２、及び竪骨２３に係合させることにより、窓枠２６への嵌め殺し部２の取付けが完了する。
【００２２】
このように、上枠アタッチメント２１、下枠アタッチメント２０、右竪枠アタッチメント２２、及び竪骨２３を四周枠組みし、ビス５８，５８、…によって固定されたＦＩＸユニットは、その上部において、上部固定ブロック４２との嵌合により上枠４に固定され、その下部において、下枠３の起立片１４との螺着より下枠３に固定される構成となっている。そのため、従来例のように、竪骨２３の上下両端において、上枠４と下枠３とビス等により固定されておらず、竪骨２３の上下方向の伸縮を可能としている。
【００２３】
すなわち、前述したように、竪骨２３の上下両端において、上枠４と下枠３とビス等により固定されていないこと、及びこの伸縮自在なスポンジ４５により、竪骨２３の熱膨張した場合に、この竪骨２３は縦方向に伸長可能であり、竪骨２３が横方向等に歪むなどの不具合が生じることを防止することができる。そのため、クレセント受調整後にクレセントが掛からない、また、片引き障子と竪骨の双方に取付けた煙返しが接触し異音が発生する等の問題が生じることを防止することができるものである。
【００２４】
また、上枠アタッチメント２１と上枠４との固定は、上枠４に取付けられた上部固定ブロック４２に上枠アタッチメント２１が嵌合することによりなされ、下枠アタッチメント２０と下枠３との固定は、下枠アタッチメント２０に取付けられた下部固定ブロック４３を下枠３にビス止めすることによりなされるが、このような構成とすることにより、窓枠２６へのＦＩＸユニットの取付け、及び嵌め殺し部２の組立作業の容易化がなされている。
【００２５】
なお、本発明に係る嵌め殺し部の竪骨の支持構造は、片引きサッシに限らず、図示はしないが、引き分けサッシにおける嵌め殺し部の竪骨の支持構造にも適用できる。    
【図面の簡単な説明】
【００２６】
【図１】片引きサッシの横断面図である。
【図２】その縦断面図である。
【図３】そのI−I部分の縦断面図である。
【図４】嵌合溝部分の拡大縦断面図である。
【図５】上部固定ブロックの配置を説明するための上枠を下から見上げた状態の図である。
【図６】そのII−II断面図である。
【図７】窓枠への嵌め殺し部の取付け方法を説明するための概略図である。
【図８】竪骨上端部分の拡大平面図である。
【図９】その縦断面図である。
【図１０】封止ブロックの正面図である。
【図１１】その側面図である。
【図１２】その平面図である。
【図１３】下枠アタッチメントの下部に下部固定ブロックが嵌め込まれた状態の拡大縦断面図である。
【図１４】下部固定ブロックの側面図である。
【図１５】その正面図である。
【図１６】その背面図である。
【図１７】その上面図である。
【図１８】その底面図である。
【図１９】そのIII−III断面図である。
【図２０】そのIV−IV断面図である。
【符号の説明】
【００２７】
１…片引き障子、２…嵌め殺し部、３…下枠、４…上枠、５ａ，５ｂ…竪枠、６ａ…召し合せ框、７ａ…戸先框、８ａ…下框、９ａ…上框、１２…外側基板、１３…内側基板、１４…起立片、１７ａ，１７ｂ…下枠タイト材、１８ａ，１８ｂ…下枠タイト材ホルダー、２０…下枠アタッチメント、２０ａ…室外側垂下片、２０ａ…室内側垂下片、２０ｃ…底面、２１…上枠アタッチメント、２１ａ…室外側係合片、２１ｂ…室内側係合片、２２…右竪枠アタッチメント、２２ａ…取付け片、２３…竪骨、２３ａ…室外側中空部、２６…窓枠、２７…ガラスパネル、２８…下面、２９…室内側垂下片、３０…中間垂下片、３１…嵌合溝、３２…室外側垂下片、３３ａ，３３ｂ…上枠タイト材ホルダー、３４ａ，３４ｂ…室外側上枠タイト材、３５…外障子走行レール、３６…起立壁、４１ａ、４１ｂ…煙返し、４２…上部固定ブロック、４２ａ…室外側係合部、４２ｂ…室内係合部、４２ｃ…室外側係合爪、４２ｄ…室内側係合爪、４３…下部固定ブロック、４３ａ…起立部、４３ｂ…上面部、４３ｃ…折曲部、４３ｄ，４３ｅ…ビス孔、４４…封止ブロック、４４ａ…本体部、４４ｂ…ヒレ部、４４ｃ…上面部、４４ｄ…ビス孔、４５…スポンジ、５０…ガラス上部押縁、５１Ｌ，５１Ｒ…ガラス左右押縁、５３，５４…ビス、５５，５６…目板材、５７，５８，５９ａ，５９ｂ，５９ｃ，５９ｄ…ビス。
【図１】
2006233431.tif 000003
【図２】
2006233431.tif 000004
【図３】
2006233431.tif 000005
【図４】
2006233431.tif 000006
【図５】
2006233431.tif 000007
【図６】
2006233431.tif 000008
【図７】
2006233431.tif 000009
【図８】
2006233431.tif 000010
【図９】
2006233431.tif 000011
【図１０】
2006233431.tif 000012
【図１１】
2006233431.tif 000013
【図１２】
2006233431.tif 000014
【図１３】
2006233431.tif 000015
【図１４】
2006233431.tif 000016
【図１５】
2006233431.tif 000017
【図１６】
2006233431.tif 000018
【図１７】
2006233431.tif 000019
【図１８】
2006233431.tif 000020
【図１９】
2006233431.tif 000021
【図２０】
2006233431.tif 000022